(57)【要約】この発明に係るプロジェクタは、光源装置４１１と、この光源装置４１１から射出された光束を画像情報に応じて変調して光学像を形成する光学装置４４と、光源装置４１１および光学装置４４を収納する外装ケース２とを備え、光学装置４４で形成された光学像を拡大投写するプロジェクタ１であって、外装ケース２の外周面から進退可能に設けられ、拡大投写された光学像の投写位置を調整する脚部２６，２７と、この脚部２６，２７が設けられた外装ケース２の面に形成される吸気用開口部３０と、外装ケース２内部のこの吸気用開口部３０近傍に設けられ、外装ケース２外部から冷却空気を導入する吸気ファン６３とを備え、この吸気ファン６３の吸気面６３Ａは、吸気用開口部３０が形成された外装ケース２の面に対して傾斜して配置されている。
2004036309.tif 000002
【特許請求の範囲】
【請求項１】
光源と、前記光源から射出された光束を画像情報に応じて変調して光学像を形成する光変調装置と、前記光源および前記光変調装置を収納する筐体とを備え、前記光変調装置で形成された光学像を拡大投写するプロジェクタであって、
前記筐体の外周面から進退可能に設けられ、拡大投写された光学像の投写位置を調整する脚部と、
前記脚部が設けられた前記筐体の面に形成される吸気用開口部と、
前記筐体内部の前記吸気用開口部近傍に設けられ、前記筐体外部から冷却空気を導入する吸気ファンとを備え、
前記吸気ファンの吸気面は、前記吸気用開口部が形成された前記筐体の面に対して傾斜して配置されることを特徴とするプロジェクタ。
【請求項２】
請求項１に記載のプロジェクタにおいて、
前記光源および前記光変調装置に電力を供給するための電源回路と、前記光源駆動用の光源駆動回路とを備え、
前記吸気ファンは、前記電源回路および光源駆動回路を冷却する冷却流路に用いられることを特徴とするプロジェクタ。
【請求項３】
請求項２に記載のプロジェクタにおいて、
前記吸気ファンにより導入された冷却空気の冷却流路は、他の冷却流路から独立して設定されていることを特徴とするプロジェクタ。
【請求項４】
請求項３に記載のプロジェクタにおいて、
前記冷却流路は、前記吸気用開口部が形成された前記筐体の面に沿って前記冷却空気を流通させるように構成されていることを特徴とするプロジェクタ。
【請求項５】
請求項３または請求項４のいずれかに記載のプロジェクタにおいて、
前記冷却流路は、前記筐体内面から立設される板状体によって区画されていることを特徴とするプロジェクタ。
【請求項６】
請求項２〜請求項５のいずれかに記載のプロジェクタにおいて、
前記電源回路および前記光源駆動回路は、それぞれ筒状の導風体により囲まれており、前記吸気ファンからの冷却空気は、各々の導風体内に供給されることを特徴とするプロジェクタ。
【請求項７】
請求項６に記載のプロジェクタにおいて、
前記吸気ファンは、前記導風体に取り付けられていることを特徴とするプロジェクタ。
【請求項８】
請求項１に記載のプロジェクタにおいて、
前記吸気用開口部は、第一の吸気用開口部であり、
前記吸気ファンは、第一の吸気ファンであり、
前記筐体の側面に、前記筐体内部の空気を前記筐体外部に排出させる排気用開口部を備え、
前記第一の吸気用開口部とは別個に前記筐体に設けられた第二の吸気開口部と、
前記第二の吸気開口部の近傍に設けられ前記筐体外部から冷却空気を導入する第二の吸気ファンと、
前記筐体外部の空気を前記第二の吸気ファンによって前記第二の吸気開口部より前記筐体内部へと導入し、前記排気用開口部へと流して前記排気用開口部から前記筐体外部へと排出させるように流すことにより、前記光変調装置および前記光源を冷却する第一の冷却系と、
前記筐体外部の空気を前記第一の吸気ファンによって前記第一の吸気開口部より前記筐体内部へと導入し、前記排気用開口部へと流して前記排気用開口部から前記筐体外部へと排出させるように流すことにより、前記電源回路および前記光源駆動回路を冷却する第二の冷却系と、を備えることを特徴とするプロジェクタ。
【請求項９】
請求項８に記載のプロジェクタにおいて、
前記第一の冷却空気流と前記第二の冷却空気流とは、前記排気用開口部内において別々の領域から排出されることを特徴とするプロジェクタ。
【請求項１０】
請求項８または９に記載のプロジェクタにおいて、
前記電源回路は筒状の第一の導風体内に配置されおり、
前記光源駆動回路は筒状の第二の導風体内に配置されており、
前記第二の冷却空気流の一部は前記第一の導風体内に導入され、前記第二の冷却空気流の他の一部は前記第二の導風体内を導入され、
前記第一の導風体から流通した空気流と前記第二の導風体から流通した空気流とは、前記排気用開口部内において別々の領域から排出されることを特徴とするプロジェクタ。
【請求項１１】
請求項８〜１０のいずれかに記載のプロジェクタにおいて、
前記第一の吸気ファンの吸気面は、前記排気用開口部に近づくにしたがって前記第一の吸気用開口部から離間するように傾斜して配置されることを特徴とするプロジェクタ。
【発明の詳細な説明】
【技術分野】  本発明は、光源と、この光源から射出された光束を画像情報に応じて変調して光学像を形成する光変調装置と、前記光源および前記光変調装置を収納する筐体とを備え、前記光変調装置で形成された光学像を拡大投写するプロジェクタに関する。
【背景技術】  従来より、光源から射出された光束を画像情報に応じて変調し、拡大投写するプロジェクタが利用されており、近年、このようなプロジェクタは、企業におけるパーソナルコンピュータでプレゼンテーションを行ったり、家庭内で映画等を見たり、種々の用途に用いられている。
このようなプロジェクタは、光学像を形成するための光学装置、光源、これらに電力を供給するための電源回路、ランプ駆動回路を備え、これらは筐体内部に収納されている。
ここで、光源や、電源回路、ランプ駆動回路は、動作中筐体内部で発熱する発熱源である一方、光学装置を構成する光学部品、光変調装置には熱に弱いものもあるため、プロジェクタには、筐体外部から冷却空気を導入し、筐体内部の各部品を冷却する冷却系が設けられている。
特開２０００−３３０２０２号公報（図５、図８）及び特開２０００−１０１９１号公報（図１）に記載されているように、冷却系は、光学装置を含む光学系の冷却系、光源冷却系、電源および光源駆動回路冷却系に分類され、従来は、例えば、光学系の冷却系を経た空気を電源および光源駆動回路冷却系に供給して、これらの回路を冷却し、最終的に光源の近傍に配置された排気ファンから筐体外部に排出ような構成が採用されていた（例えば、特許文献１、特許文献２参照）。
【発明の開示】
しかしながら、このような従来の冷却系の構成では、一度光学系を冷却した空気を回路用の冷却空気として使用する構成であるため、電源回路、光源駆動回路等を高効率で冷却することができず、より効率的に電源回路や光源駆動回路を冷却できる方法が要望されている。
一方、これらの回路を冷却する流路を独立して設けることも考えられるのだが、筐体内部を効率的に冷却するには、筐体前面から背面に冷却流路を形成し、筐体前面に吸気ファンを設け、装置背面側に排気ファンを設ける必要がある。従って、この回路冷却用の吸気ファンと、他の構成部材の冷却流路中に設けられるファンとが互いに干渉してしまい、プロジェクタの小型化を促進できない。
本発明の目的は、前記電源回路、光源駆動回路等を含む筐体内の構成部材を効率的に冷却することができ、かつ小型化を促進することができるプロジェクタを提供することにある。
本発明のプロジェクタは、光源と、この光源から射出された光束を画像情報に応じて変調して光学像を形成する光変調装置と、前記光源および前記光変調装置を収納する筐体とを備え、前記光変調装置で形成された光学像を拡大投写するプロジェクタであって、前記筐体外周面から進退可能に設けられ、拡大投写された光学像の投写位置を調整する脚部と、この脚部が設けられた前記筐体の面に形成される吸気用開口部と、前記筐体内部のこの吸気用開口部近傍に設けられ、筐体外部から冷却空気を導入する吸気ファンとを備え、この吸気ファンの吸気面は、前記吸気用開口部が形成された前記筐体の面に対して傾斜して配置されていることを特徴とする。
ここで、吸気ファンとしては、軸流ファンやシロッコファン等種々のものを採用できるが、吸気ファンの吸気面が吸気用開口部と対向配置される向きに吸気ファンを配置するのが好ましい。
この発明によれば、脚部が設けられた筐体の面に吸気用開口部を形成し、そこから吸気ファンによって外気を直接導入する構成であるから、筐体内の他のファンによって吸気される他の冷却空気流と干渉せず、それぞれのファンが別々の空気を吸気し冷却対象に充分な冷却空気を送風することが可能となり、且つ、それぞれのファンの影響による乱流の発生を防ぎ騒音防止も達成することができる。さらに、脚部が設けられた筐体の面に吸気用開口部およびその近傍に吸気ファンを配置することにより、プロジェクタの平面視での小型化を図りやすい。
また、吸気ファンの吸気面が、吸気用開口部が形成された筐体の面に対して傾斜配置されることにより、プロジェクタを設置台等に配置した際、吸気用開口部と設置台の面とが接近していても、吸気ファンの吸気面が設置台の面から所定距離離間配置され吸気ファン６３の吸気面６３Ａの近傍に空間が確保できることとなるため、吸気ファンは確実に筐体内部に充分な冷却空気を導入することができ、且つ、吸気ファン６３近辺での乱流を防ぎ騒音を防止できる。すなわち、吸気ファンの吸気面が設置台の面と近づいた状態であっても、吸気ファンの回転に伴う空気流を筐体が遮り吸込量が少なくなったり摩擦音を発生させることを防止できる。
さらに、吸気ファンを筐体の面に対して傾斜配置することにより、吸気ファンが筐体に形成された吸気用開口部から離間配置されることとなるため、吸気ファンの回転に伴う騒音が筐体外部に漏れにくくなり、プロジェクタの静粛性が向上する。
本発明では、前述したプロジェクタが光源および光変調装置に電力を供給する電源回路と、光源駆動用の光源駆動回路とを備えている場合、吸気ファンは、この電源回路および光源駆動回路を冷却する冷却流路に用いられるのが好ましい。
この発明によれば、発熱源である電源回路、光源駆動回路を、筐体外部から直接冷却空気を導入して冷却することができるため、これらの回路を効率的に冷却することができる。
本発明では、吸気ファンにより導入された冷却空気の冷却流路は、他の冷却流路から独立して設定されているのが好ましい。
この発明によれば、電源回路および光源駆動回路の冷却系を他の冷却系から独立させることにより、これらの回路を一層効率的に冷却することができるうえ、これらの回路で発生した熱が他の冷却系に影響を及ぼすことがなく、他の冷却系の冷却効率も向上することができる。
本発明では、前述した冷却流路は、吸気用開口部が形成された筐体の内面に沿って冷却空気を流通させるように構成されているのが好ましい。
この発明によれば、電源回路、光源駆動回路の冷却流路を他の冷却流路から確実に独立させることができる。
本発明では、前述した電源回路および光源駆動回路の冷却流路は、筐体内面から立設される板状体によって区画されているのが好ましい。
ここで、板状体は、筐体内面に該筐体と一体的に設けるのが好ましく、樹脂製の筐体の場合、例えば、射出成形等により一体的に設けることができる。
この発明によれば、冷却流路を板状体で区画することにより、他の冷却流路と完全に独立させることができるため、電源回路、光源駆動回路の冷却効率を一層効率的に冷却することができる。
本発明では、電源回路および光源駆動回路がそれぞれ筒状の導風体により囲まれている場合、吸気ファンからの冷却空気は、各々の導風体内に供給されるのが好ましい。
ここで、導風体は、これらの回路基板を囲むことのできる種々のものを採用することができるが、好ましくは、導風体を金属で構成し、放熱性を向上させ、且つ、導風体に回路基板の電磁シールド機能も付与させるのがよい。
また、それぞれの導風体への冷却空気の導入量は、筒状の導風体の開口端に対する吸気ファンの排気面の傾斜角度および／または各々の導風体の吸気側の開口部の形状および／または各々の導風体の排気側の開口部の形状を調整することで変化させることが可能である。
この発明によれば、電源回路、光源駆動回路の発熱状態に応じて、吸気ファンの排気面の傾斜角度および／または各々の導風体の吸気側の開口部の形状および／または各々の導風体の排気側の開口部の形状を調整することで冷却空気を按分してそれぞれの導風体に冷却空気を導入することができるため、これらの回路基板の冷却効率を一層向上することができる。
また、導風体を金属で構成することにより、放熱性の向上に加えて電磁シールドの機能を持たせることができるため、電源回路、光源駆動回路に対して別途ＥＭＩ対策を施す必要が無く、プロジェクタ内部の構造を簡素化することができる。
本発明では、吸気ファンは、前述した導風体に取り付けられているのが好ましい。
この発明によれば、筐体の面に対して吸気ファンの吸気面を傾斜配置するに際して、筐体内面に別途吸気ファンの支持部材を設ける必要がなくなるため、プロジェクタ内部の構造を一層簡素化することができ、装置の小型化を図るうえで好ましい。
本発明では、前記吸気用開口部は、第一の吸気用開口部であり、前記吸気ファンは、第一の吸気ファンであり、前記筐体の側面に、前記筐体内部の空気を前記筐体外部に排出させる排気用開口部を備え、前記第一の吸気用開口部とは別個に前記筐体に設けられた第二の吸気開口部と、前記第二の吸気開口部の近傍に設けられ前記筐体外部から冷却空気を導入する第二の吸気ファンと、前記筐体外部の空気を前記第二の吸気ファンによって前記第二の吸気開口部より前記筐体内部へと導入し、前記排気用開口部へと流して前記排気用開口部から前記筐体外部へと排出させるように流すことにより、前記光変調装置および前記光源を冷却する第一の冷却系と、前記筐体外部の空気を前記第一の吸気ファンによって前記第一の吸気開口部より前記筐体内部へと導入し、前記排気用開口部へと流して前記排気用開口部から前記筐体外部へと排出させるように流すことにより、前記電源回路および前記光源駆動回路を冷却する第二の冷却系と、を備えることが好ましい。
この発明によれば、それぞれ独立した空気流によりプロジェクタ内部のそれぞれの発熱源を効率よく冷却した第一の冷却空気流と第二の冷却空気流とが、共通の排気用開口部から排出できるため、筐体の成形が簡略化でき、且つ、空気の排出方向を管理しやすい。
本発明では、前記第一の冷却空気流と前記第二の冷却空気流とは、前記排気用開口部内において別々の領域から排出されることが好ましい。
この発明によれば，第一の冷却空気流と第二の冷却空気流の排出を、排気用開口部内の異なる領域から行なえるため、第一の冷却空気流と第二の冷却空気流とが排出時においても干渉せずに排出することができ、効率よくプロジェクタの内部を冷却できる。
本発明では、前記電源回路は筒状の第一の導風体内に配置されおり、前記光源駆動回路は筒状の第二の導風体内に配置されており、前記第二の冷却空気流の一部は前記第一の導風体内に導入され、前記第二の冷却空気流の他の一部は前記第二の導風体内を導入され、前記第一の導風体から流通した空気流と前記第二の導風体から流通した空気流とは、前記排気用開口部内において別々の領域から排出されることが好ましい。
この発明によれば、電源回路と光源駆動回路をそれぞれ独立した冷却空気流で冷却することができ、さらに、それぞれを冷却した空気の排出を排気用開口部内の異なる領域から行なえるため、それぞれの冷却空気流が干渉せず電源回路と光源駆動回路をより効率良く冷却することができる。
本発明では、前記第一の吸気ファンの吸気面は、前記排気用開口部に近づくにしたがって前記第一の吸気用開口部に接近するように傾斜して配置されることが好ましい。
この発明によれば、既にプロジェクタ内部の他の熱源部を冷却し温まった空気流に反する方向に第一の吸気ファンの吸気面が配置されるため、第一吸気ファンがプロジェクタ内部の温まった空気を取り込むことを防止しすることができ、プロジェクタ外部の温度の低い空気をより多く取り込むことができる。
【図面の簡単な説明】
【図１】  本発明の実施形態に係るプロジェクタの外観構成を表す概要斜視図。
【図２】  前記実施形態におけるプロジェクタの外観構成を表す概要斜視図。
【図３】  前記実施形態におけるプロジェクタの内部構成を表す概要斜視図。
【図４】  前記実施形態におけるプロジェクタの内部構成を表す概要斜視図。
【図５】  前記実施形態におけるプロジェクタの光学系の構造を表す模式図。
【図６】  前記実施形態における電源回路の配置を表す概要斜視図。
【図７】  前記実施形態における光源駆動回路の配置を表す概要斜視図。
【図８】  前記実施形態における電源回路の構造を表す斜視図。
【図９】  前記実施形態における電源回路の構造を表す側面図。
【図１０】  前記実施形態における電源回路および光源駆動回路の配置構造を表す断面図。
【図１１】  前記実施形態におけるプロジェクタの冷却系を表す概要斜視図。
【図１２】  前記実施形態における光源駆動回路の配置を表す概要斜視図。
【発明を実施するための最良の形態】  以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学装置を含む装置本体を内部に収納する外装ケース２および外装ケース２から露出する投写レンズ３を備えている。
投写レンズ３は、後述する、光源から射出された光束を光変調装置により画像情報に応じて変調し変調された光束を光合成手段により合成して形成された光学像を、拡大投写する投写光学系としての機能を具備するものであり、鏡筒内部に複数のレンズが収納された組レンズとして構成される。
筐体としての外装ケース２は、投写方向に直交する幅方向の寸法が投写方向寸法よりも大きい幅広の直方体形状をなし、装置本体の上部を覆うアッパーケース２１と、装置本体の下部を覆うロアーケース２２と、装置本体の前面部分を覆うフロントケース２３とを備えている。これら各ケース２１〜２３は、射出成形等によって成形された合成樹脂製の一体成形品である。
アッパーケース２１は、装置本体の上部を覆う上面部２１Ａと、この上面部２１Ａの幅方向端部から略垂下する側面部２１Ｂ、２１Ｃと、上面部２１Ａの後端部から略垂下する背面部２１Ｄとを備えている。
上面部２１Ａの投写方向前側には、プロジェクタ１の起動・調整操作を行うための操作パネル２４が設けられている。この操作パネル２４は、起動スイッチ、画像・音声等の調整スイッチを含むの複数のスイッチを備え、プロジェクタ１による投写時には、操作パネル２４中の調整スイッチ等を操作することにより、画質・音量等の調整を行うことができる。
また、上面部２１Ａの操作パネル２４の隣には、複数の孔２４１が形成されていて、この内部には、図示を略したが、音声出力用のスピーカが収納されている。
これら操作パネル２４およびスピーカは、後述する装置本体を構成する制御基板と電気的に接続され、操作パネル２４による操作信号はこの制御基板で処理される。
背面部２１Ｄには、略中央部分に上面部２１Ａ側に切り欠かれた凹部が形成され、この凹部には、後述する制御基板に接続されたインターフェース基板上に設けられたコネクタ群２５が露出する。
ロアーケース２２は、アッパーケース２１との係合面を中心として略対称に構成され、底面部２２Ａ、側面部２２Ｂ、２２Ｃ、および背面部２２Ｄを備えている。そして、側面部２２Ｂ、２２Ｃ、および背面部２２Ｄは、その上端部分でアッパーケース２１の側面部２１Ｂ、２１Ｃ、および背面部２１Ｄの下端部分と係合し、外装ケース２の側面部分および背面部分を構成する。
底面部２２Ａには、プロジェクタ１の後端側略中央に固定脚部２６が設けられているとともに、先端側幅方向両端に調整脚部２７が設けられている。
この調整脚部２７は、底面部２２Ａから面外方向に進退自在に突出する軸状部材から構成され、軸状部材自体は、外装ケース２の内部に収納されている。このような調整脚部２７は、プロジェクタ１の側面部分に設けられる調整ボタン２７１を操作することにより、底面部２２Ａからの進退量を調整することができる。
これにより、プロジェクタ１から射出された投写画像の上下位置を調整し、適切な位置に投写画像を形成することができるようになる。
また、底面部２２Ａには、外装ケース２の内部と連通する開口部２８、２９、３０が形成されている。
開口部２８は、プロジェクタ１の光源を含む光源装置４１１を着脱する部分であり、通常は、ランプカバー２８１によって塞がれている。
開口部２９、３０は、スリット状の開口部として構成される。
開口部２９は、光源ランプから射出された光束を画像情報に応じて変調する光変調装置としての液晶パネルを含む光学装置４４を冷却するための冷却空気取込用の吸気用開口部である。
開口部３０は、プロジェクタ１の装置本体を構成する電源装置を冷却するための冷却空気取込用の吸気用開口部である。
尚、開口部２９、３０は、そのスリット状開口部分で常時プロジェクタ１内部と連通しているため、塵埃等が内部に侵入しないように、それぞれの内側に防塵フィルタが設けられている。
さらに、底面部２２Ａには、底面部２２Ａに対して外側にスライド自在に取り付けられた蓋部材３１が設けられていて、この蓋部材３１の内部には、プロジェクタ１を遠隔操作するためのリモートコントローラが収納されるようになっている。尚、図示しないリモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、外装ケース前面および背面に設けられる受光部３１１を介して制御基板で処理される。
背面部２２Ｄには、アッパーケース２１の場合と同様に、略中央部分に底面部２２Ａ側に切り欠かれた凹部が形成され、前記インターフェース基板上に設けられたコネクタ群２５が露出するとともに、端部近傍にもさらに開口部３２が形成されていて、この開口部３２からインレットコネクタ３３が露出している。インレットコネクタ３３は、外部電源からプロジェクタ１に電力を供給する端子であり、後述する電源ユニットと電気的に接続される。
フロントケース２３は、前面部２３Ａおよび上面部２３Ｂと下面部２３Ｃとを備えて構成され、上面部２３Ｂの投写方向後端側で前述したアッパーケース２１の投写方向先端部分と、下面部２３Ｃの投写方向後端側で前述したロアーケース２２の投写方向先端部分と係合する。
前面部２３Ａには、投写レンズ３を露出させるための略円形状の開口部３４、およびその隣に形成された複数のスリットから構成される開口部３５が形成されている。
開口部３４は、その上面側がさらに開口され、投写レンズ３の鏡筒の一部が露出していて、鏡筒周囲に設けられたズーム・フォーカス調整用のつまみ３Ａ、３Ｂを外部から操作することができるようになっている。
開口部３５は、装置本体を冷却した空気を排出する排気用開口部として構成され、後述するプロジェクタ１の構成部材である光学系、制御系、および電源装置を冷却した空気は、この開口部３５からプロジェクタ１の投写方向に排出される。
（２）内部構成
このような外装ケース２の内部には、図３〜図５に示されるように、プロジェクタ１の装置本体が収納されており、この装置本体は、図３に示される光学ユニット４、制御基板５、および、図４に示される電源装置６を備えて構成される。
（２−１）光学ユニット４の構造
光学ユニット４は、光源装置４１１から射出された光束を画像情報に応じて変調して光学像を形成し、投写レンズ３を介してスクリーン上に投写画像を形成するものであり、図４に示されるライトガイド４０という光学部品用筐体内に、光源装置４１１や、種々の光学部品等を組み込んだものとして構成される。
このライトガイド４０は、下ライトガイド４０１、および図４では図示を略した上ライトガイドから構成され、それぞれは、射出成形等による合成樹脂製品である。
下ライトガイド４０１は、光学部品を収納する底面部４０１Ａ及び側壁部４０１Ｂからなる上部が開口された容器状に形成され、側壁部４０１Ｂには、複数の溝部４０１Ｃが設けられている。この溝部４０１Ｃには、光学ユニット４を構成する種々の光学部品が装着され、これにより各光学部品は、ライトガイド４０内に設定された照明光軸上に精度よく配置される。上ライトガイドは、この下ライトガイド４０１に応じた平面形状を有し、下ライトガイド４０１の上面を塞ぐ蓋状部材として構成される。
また、下ライトガイド４０１の底面部４０１Ａの光束射出側端部には、円形状の開口部が形成された前面壁が設けられていて、この前面壁には、投写レンズ３の基端部分が接合固定される。
このようなライトガイド４０内は、図５に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内でインテグレータ照明光学系４１から射出された光束を三色の色光に分離する空間色分離型の光学ユニットとして構成されている。
インテグレータ照明光学系４１は、光源から射出された光束を照明光軸直交面内における照度が均一な光束にする光学系であり、光源装置４１１、第１レンズアレイ４１２、第２レンズアレイ４１３、偏光変換素子４１４、および重畳レンズ４１５を備えて構成される。
光源装置４１１は、放射光源としての光源ランプ４１６およびリフレクタ４１７を備え、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。各小レンズの輪郭形状は、後述する液晶パネル４４１の画像形成領域の形状とほぼ相似形をなすように設定される。例えば、液晶パネル４４１の画像形成領域のアスペクト比（横と縦の寸法の比率）が４：３であるならば、各小レンズのアスペクト比も４：３に設定される。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を液晶パネル４４１上に結像させる機能を有する。
偏光変換素子４１４は、第２レンズアレイ４１３からの光を１種類の偏光光に変換するものであり、これにより、光学装置４４での光の利用率が高められている。
具体的に、偏光変換素子４１４によって１種類の偏光光に変換された各部分光束は、重畳レンズ４１５によって最終的に光学装置４４の液晶パネル４４１上にほぼ重畳される。偏光光を変調するタイプの液晶パネル４４１を用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４における光の利用効率を高めている。なお。このような偏光変換素子４１４は、例えば、特開平８−３０４７３９号公報に紹介されている。
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。  なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される射出側偏光板４４３と、色合成光学系としてのクロスダイクロイックプリズム４４４とを備える。
液晶パネル４４１Ｒ、４４１Ｇ、４４１Ｂは、例えば、ポリシリコンＴＦＴをスイッチング素子として用いたものであり、図示を略したが、対向配置される一対の透明基板内に液晶が密封封入されたパネル本体を、保持枠内に収納して構成される。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このような光学装置４４は、クロスダイクロイックプリズム４４４の各光束入射端面に、矩形板状体の四隅部分に面外方向に突出するピンを備えたパネル固定板を貼り付け、液晶パネル４４１Ｒ、４４１Ｇ、４４１Ｂの保持枠に形成された孔に各ピンを挿入することにより一体化されている。
そして、一体化された光学装置４４は、前述したライトガイド４０の投写レンズ３の光路前段に配置され、下ライトガイド４０１の底面部にねじ止め固定される。
（２−２）制御基板５の構造
制御基板５は、図３に示すように、光学ユニット４の上側を覆うように配置され、演算処理装置、液晶パネル駆動用ＩＣが実装されたメイン基板５１と、このメイン基板５１の後端側で接続され、外装ケース２の背面部２１Ｄ、２２Ｄに起立するインターフェース基板５２とを備えている。
インターフェース基板５２の背面側には、前述したコネクタ群２５が実装されていて、コネクタ群２５から入力する画像情報は、このインターフェース基板５２を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
このようなメイン基板５１は、パンチングメタルを折り曲げ加工した板金５３によって覆われ、この板金５３は、メイン基板５１上の回路素子等によるＥＭＩ（電磁障害）を防止するために設けられている。
（２−３）電源装置６の構造
電源装置６は、図６に示される電源回路を備えた電源ユニット６１と、この電源ユニット６１の下方に配置される図７および図１２に示される光源駆動回路を備えたランプ駆動ユニット６２とを備えている。図１２はロアーケース２２に装着されたランプ駆動ユニット６２を示す。図７は図１２の導風部材６５を透過させた場合を示す図である。
電源ユニット６１は、前述したインレットコネクタ３３に接続された図示しない電源ケーブルを通して外部から供給された電力を、前記ランプ駆動ユニット６２や制御基板５等に供給するものである。
この電源ユニット６１は、図８に示されるように本体基板６１１と、この本体基板６１１を囲む金属製の筒状体６１２とを備えて構成されている。
筒状体６１２は、中が空洞の略箱状の形状であり、底面のうち一方の端面６１２ｆ側の部分に開口部６１２ｈを備えており、他方の端面６１２ｇが開口している。
筒状体６１２の他方の端面６１２ｇ側の両側面の下端は外側に水平方向に折り曲げられ、その水平部分には、孔６１２Ａ、６１２Ｂが形成され、さらに筒状体６１２の略中央部分の側面部分も下端が外側に折り曲げられ、孔６１２Ｃが形成されている。尚、筒状体６１２は金属製であるのが好ましく、それにより、冷却空気を流す導風部材としての機能の他、制御基板５における板金５３と同様にＥＭＩを防止できる。
一方、筒状体６１２の一方の端面６１２ｆ側の側面部分は下方に延出していて、その延出部分の間であって開口部６１２ｈには、吸気ファン６３が取り付けられている。
この吸気ファン６３は、図９に示されるように、本体基板６１１および筒状体６１２の天面６１２ｅに対して一方の端面６１２ｆに向かうにつれて接近するように傾斜して取り付けられていて、吸気ファン６３の排気面６３Ｂの一部が筒状体６１２の内部に臨んでいる。
ランプ駆動ユニット６２は、前述した光源装置４１１に安定した電圧で電力を供給するための変換回路であり、電源ユニット６１から入力した商用交流電流は、このランプ駆動ユニット６２によって整流、変換されて、直流電流や交流矩形波電流となって光源装置４１１に供給される。
このランプ駆動ユニット６２は、図７及び図１０に示すように、基板６２１と、基板６２１の上面部分に種々の回路素子６２２と、基板６２１と回路素子６２２とに冷却空気を流動させる導風部材６５とを備えて構成されている。また、ランプ駆動ユニット６２は、前述した電源ユニット６１と一部分が交差するように配置されている。
導風部材６５は、側面のうち開口部３０に隣接する部分に冷却空気を導入する開口部６５ａが形成され、さらに開口部６５ａが形成された側面と対面する側面であって、開口部６５ａの近傍の角部に対角する角部の近傍に開口部６５ｂが形成されている。
このような電源ユニット６１およびランプ駆動ユニット６２は、図６，図１０および図１２に示されるように、ロアーケース２２に固定される。
まず、ランプ駆動ユニット６２は、導風部材６５に囲まれた状態でロアーケース２２の底面部２２Ａに樹脂リベット６２ａにより固定される。なお、ランプ駆動ユニット６２はリベット６２ａではなくねじによって底面部２２Ａに固定する構成としてもよい。
さらに、ランプ駆動ユニット６２は、ロアーケース２２の底面部２２Ａ内面に立設された複数の板状体６４によっても囲まれているとともに、複数の板状体６４は、底面部２２Ａに形成された吸気用の開口部３０をも囲むように設けられていて、開口部３０近傍の空間およびランプ駆動ユニット６２が配置された空間は、これら複数の板状体６４によってロアーケース２２内で他の空間から独立している。
尚、複数の板状体６４は、ロアーケース２２の射出成形時に同時に一体的に成形して構成されたものである。  次に、電源ユニット６１は、平面視でこのランプ駆動ユニット６２の一部と交差するようにランプ駆動ユニット６２の上部に配置され、板状体６４の上部に形成されたねじ孔６４ａ（図７参照）と、電源ユニット６１の筒状体６１２に形成された孔６１２Ａ〜６１２Ｃ（図８参照）とを位置合わせして、板状体６４の上面部分にねじ６４ｂにより固定されている（図１０参照）。
この際、筒状体６１２に設けられた吸気ファン６３は、複数の板状体６４に囲まれた状体で底面部２２Ａに形成された開口部３０とわずかに離間して配置され、さらにこの吸気ファン６３の吸気面６３Ａが、プロジェクタ１の投写方向に向かうに従って底面部２２Ａに接近するように底面部２２Ａに対して傾斜されて配置される。
本例においては、後述する冷却系Ａにおいて、冷却後の空気を排出するのが、プロジェクタ１の前面側であるため、このような傾斜配置としているが、プロジェクタ１の背面側で排気する場合は、この傾斜を逆向きにするのが好ましい。要するに、吸気ファン６３は、プロジェクタ１の冷却空気流の排気方向すなわち開口部３５に近づくに従って吸気面６３Ａが吸気用開口部３３に接近するように傾斜させて配置するのが好ましい。  このようにすれば、既に他の熱源部を冷却し温まったプロジェクタ１の内部の空気を吸気ファン６３が取り込む可能性を少なくすることができるため、吸気ファン６３は温度の低い空気を取り込むことができ、より冷却効率を向上することができる。
一方、吸気ファン６３の排気面６３Ｂは、図１０に示すように、筒状部６１２の開口部６１２ｈおよび導風部材６５の開口部６５ａの両方に送風できるように傾斜している。
従って、上記説明した構造により、筐体２に形成された開口部３０から吸気ファン６３の吸気面６３Ａは複数の板状体６４によって連結され、吸気ファン６３の排気面６３Ｂは、筒状体６１２の一方の開口部６１２ｈおよび導風部材６５の一方の開口部６５ａにそれぞれ筒状体６１２および複数の板状体６４により連結され、筒状体６１２の他方の開口部である端面６１２ｇは筐体２に形成された開口部３５のフロントケース２３側から見て右上の部分に対応する位置に配置され、導風部材６５の他方の開口部６５ｂは筐体２に形成された開口部３５のフロントケース２３側から見て左下の部分に対応する位置に配置され、それぞれ吸気ファン６３の排気面６３Ｂと開口部３５とを連結して、冷却系Ｂ１およびＢ２を独立させて流通させる冷却空気の流通路を形成している。
なお、電源ユニット６１およびランプ駆動ユニット６２の発熱量の計算結果また実験結果からその発熱状態に応じて、吸気ファン６３の排気面６３Ｂの傾斜角度および／または筒状体６１２の開口部６１２ｈと開口部６１２ｇとの形状および／または導風部材６５の開口部６５ａと開口部６５ｂとの形状を調整することでそれぞれの風量を調整できる。
（２−４）排気ユニットの構造
排気ユニット８は、図３に示すように、光源装置４１１の側面部分に外装ケース２に沿って配置されている。
この排気ユニット８は、筒状の排気ダクト８１と、この排気ダクト８１の光源装置４１１側端部に取り付けられた排気ファン８２と、排気ダクト８１のフロントケース２３側に取り付けられた内部ルーバ８３とを備えている。排気ユニット８は、光源装置４１１および制御基板５の付近のプロジェクタ１内部を冷却した空気を排気ファン８２の送風により排気ダクト８１を通し内部ルーバ８３を介して排出させるものである。
排気ファン８２は、光源装置４１１および制御基板５の付近のプロジェクタ１内を冷却した空気を吸引し、この吸引した冷却空気を排気ダクト８１内に送る。
この排気ファン８２は排気ダクト８１の一方の開口部にねじ止めされることにより、排気ファン８２と排気ファン８１の一方の開口部とが密着し、その接続部分から冷却空気が漏れないようになっている。
排気ダクト８１は、断面略矩形状の筒状形状であって、その両端に開口部を備える。両端の開口部のうち一方の開口部は排気ファン８２の排気面と接続され、他方の開口部は内部ルーバ８３に接続される。内部ルーバ８３が接続された排気ダクト８１の他方の開口部は、フロントケース２３側からみて、開口部３５の左上部分に面するように配置される。
排気ダクト８１の他方の開口部設けられた内部ルーバ８３は、排気ダクト８１から排出される冷却空気を整流して、所定方向のみに冷却空気を流す整流機能を持った整流用ルーバであり、上下方向に延びる複数の羽根板８３１が互いに略平行に配置されて構成される。
これらの羽根板８３１は、冷却空気の流路に沿って水平方向に並列し、排気ダクト８１の他方の開口部を上下方向に仕切っている。このような内部ルーバ８３は、フロントケース２３側からみて開口部３５の左上部分に配置され、各羽根板８３１によって後述する冷却系Ａの冷却空気を、開口部３５からプロジェクタ１の画像投写領域から外れる方向へと排出させる。
このような排気ユニット８は、ロアーケース２２にねじ止め固定される。すなわち、平面視でランプ駆動ユニット６２の一部と交差するように、排気ユニット８をランプ駆動ユニット６２の上に配置され、ロアーケース２２の底面部２２Ａに固定される。
これにより、排気ユニット８の一端である吸気口は、光源装置４１１に面し、排気ユニット８の他端である排気口は、フロントケース２３の開口部３５に面する。
（２−５）冷却構造
前述したプロジェクタ１には、図１１に示されるように、光学装置４４を冷却する冷却系Ａと、電源装置６を冷却する冷却系Ｂとが設定されている。
冷却系Ａは、吸気ユニット７によって開口部２９（図２参照）から吸気された冷却空気の流れである。
吸気ユニット７は、投写レンズ３を挟んで対向配置される一対のシロッコファン７１と、これら一対のシロッコファン７１の吸気面を開口部２９に連通させるダクトと（図示略）を含んで構成される。
吸気ユニット７によってプロジェクタ１の外部から直接取り込まれた冷却空気は、シロッコファン７１を介して、液晶パネル４４１Ｒ、４４１Ｇ、４４１Ｂの下方に供給され、クロスダイクロイックプリズム４４４の光束入射端面に沿って下方から上方に流れ、液晶パネル４４１Ｒ、４４１Ｇ、４４１Ｂ、射出側偏光板４４３、入射側偏光板４４２を冷却する。
光学装置４４の上方に流れた冷却空気は、制御基板５を構成するメイン基板５１にあたってその流れ方向が直角に曲折され、メイン基板５１に実装された種々の回路素子を冷却する。
メイン基板５１を冷却した冷却空気は、排気ファン８１によって収集され排気ダクト８２へと送られ、フロントケース２３の開口部３５（図１参照）からプロジェクタ１の外部へと排出される。
ここで、図１１のプロジェクタ１の前面から見て、投写レンズ３左側に配置されるシロッコファン７１は、液晶パネル４４１Ｒ、４４１Ｂに冷却空気を供給するが、その内の一部は、偏光変換素子４１４および光源装置４１１の冷却空気として使用される。
すなわち、この冷却空気の一部は、ロアーケース２２の底面部２２Ａと、下ライトガイド４０１の下面との間に形成された隙間を流れ、その途中でさらに、２方向に分岐する。一方の分岐した冷却空気は、偏光変換素子４１４に応じた位置の下ライトガイド４０１の下面に形成されたスリット孔から、ライトガイド４０内部に供給されて偏光変換素子４１４を冷却した後、光源装置４１１に供給されて光源ランプ４１６を冷却する。他方の分岐した冷却空気は、直接光源装置４１１に供給され、光源ランプ４１６を冷却する。
そして、光源装置４１１を冷却した空気は、排気ファン８１によって収集され排気ダクト８２へと送られ、フロントケース２３の開口部３５（図１参照）からプロジェクタ１の外部に排出される。
一方、冷却系Ｂは、電源ユニット６１に設けられた吸気ファン６３によって開口部３０（図２参照）から取り込まれた冷却空気の流れであり、電源ユニット６１を冷却する冷却系Ｂ１およびランプ駆動ユニット６２を冷却する冷却系Ｂ２が含まれる。
図１０を参照してより詳しく説明すれば、まず冷却系Ｂ１は、吸気ファン６３によって開口部３０からプロジェクタ１の外部から直接取り込まれた冷却空気の一部が電源ユニット６１の筒状体６１２の内部に供給され、本体基板６１１に実装された回路素子を冷却した後、直接フロントケース２３に形成された開口部３５（図１参照）から外部に排出される空気流である。
一方、冷却系Ｂ２は、吸気ファン６３によって開口部３０からプロジェクタ１の外部から直接取り込まれた冷却空気の他の一部が筒状体６１２の下方へと板状体６４に沿って流れ、ランプ駆動ユニット６２に設けられる導風部材６５の内部に供給され、ランプ駆動ユニット６２の基板６２１上に実装された回路素子を冷却した後、開口部３５の排気ダクト８２の下の部分から外部に排出される。
以上の説明したように、冷却系Ａおよび冷却系Ｂはそれぞれの別個の吸気ファン７１，６３により直接外気を吸気し発熱源を個々に冷却した後、プロジェクタ１のフロントケース２３側からみて、開口部３５の左上部分から冷却系Ａの排気ダクト８２からの空気を排出し、開口部３５の左下部分から冷却系Ｂ２の同封部材６５からの空気を排出し、開口部３５の右下部分から冷却系Ｂ１の筒状体６１２からの空気を排気している。従って、冷却系Ａおよび冷却系Ｂともに冷却後の空気は、開口部３５から排出されているが、それぞれ開口部３５の異なる領域から排出される。
（３）実施形態の効果
前述のような本実施形態によれば、次のような効果がある。
（３−１）固定脚部２６および調整脚部２７が設けられた外装ケース２の底面部２２Ａに形成された吸気用の開口部３０から吸気ファン６３によって外気を直接冷却空気として導入する構成であるから、この冷却系Ｂ中の吸気ファン６３によって吸気される冷却空気と、外装ケース２内の他のファン、例えばフロントケース２３に沿った排気ファン８１、または側面部２１Ｂ、２２Ｂ、２１Ｃ、２２Ｃに沿ったシロッコファン７１によって吸気されるほかの冷却空気流とが干渉することがないため、それぞれのファンが別々の空間から吸気し冷却対象に充分な冷却空気を送風することが可能となり、且つ、それぞれのファンの空気流の干渉による乱流の発生を防ぎ騒音防止も達成することができる。さらに、固定脚部２６および調整脚部２７が設けられた外装ケース２の底面部２２Ａに吸気用開口部３０およびその近傍に吸気ファン６３を配置することにより、プロジェクタ１の平面視での小型化を図りやすい。
（３−２）吸気ファン６３の吸気面６３Ａが、吸気用の開口部３０が形成された底面部２２Ａの面に対して傾斜配置されることにより、プロジェクタ１を設置台等に配置した際、開口部３０と設置台の面とが接近していても、吸気ファン６３の吸気面６３Ａが設置台の面から所定距離離間配置され吸気ファン６３の吸気面６３Ａの近傍に空間が確保できることとなるため、吸気ファン６３は確実に外装ケース２の内部に充分な冷却空気を導入することができ、且つ、吸気ファン６３近辺での乱流を防ぎ騒音を防止できる。すなわち、吸気ファンの吸気面が設置台の面と近づいた状態であっても、吸気ファンの回転に伴う空気流を筐体が遮り吸込量が少なくなったり摩擦音を発生させることを防止できる。
（３−３）吸気ファン６３を外装ケース２の底面部２２Ａに対して傾斜配置することにより、吸気ファン６３が吸気用の開口部３０から離間配置されることとなるため、吸気ファン６３の回転に伴う騒音が外部に漏れにくくなり、プロジェクタ１の静粛性が向上する。
（３−４）冷却系Ｂによって、発熱源である電源ユニット６１、ランプ駆動ユニット６２を、外装ケース２の外部から直接冷却空気を導入して冷却することができるため、これらを効率的に冷却することができる。
（３−５）電源ユニット６１およびランプ駆動ユニット６２を冷却する冷却系Ｂを他の冷却系Ａから独立させることにより、これらを一層効率的に冷却することができるうえ、これらで発生した熱が他の冷却系に影響を及ぼすことがなく、他の冷却系Ａの冷却効率も向上することができる。
（３−６）吸気ファン６３の吸気面６３Ａが、吸気用の開口部３０が形成された底面部２２Ａの面に対して傾斜配置されることにより、垂直方向から吸い上げた空気を水平方向へと流動させることができる。すなわち、吸気ファン６３によって外装ケース２の下方から吸い上げ斜め上方に排出される冷却空気を外装ケース２の底面部２２Ａに沿って流通させた冷却系Ｂであれば、他の冷却系Ａと並列に冷却流路を形成することで、電源ユニット６１およびランプ駆動ユニット６２の冷却系Ｂを他の冷却系Ａから確実に独立させることができる。さらに外装ケース２の底面部２２Ａに沿って流通させた冷却系Ｂは、平面的により広い範囲を冷却することが可能となる。
（３−７）冷却系Ｂを板状体６４で他の空間と区画することにより、他の冷却系Ａと完全に独立させることができるため、電源ユニット６１、ランプ駆動ユニット６２を一層効率的に冷却することができる。
（３−８）電源ユニット６１、ランプ駆動ユニット６２の発熱状態に応じて、吸気ファン６３の排気面６３Ｂの傾斜角度、筒状体６１２の形状、導風部材６５の形状を調整することにより、冷却空気を按分してそれぞれの筒状体６１２、導風部材６５に導入することができるため、これらの冷却効率を一層向上することができる。また、筒状体６１２、導風部材６５を金属で構成することにより、電磁シールドの機能を持たせることができるため、電源ユニット６１の本体基板６１１、ランプ駆動ユニット６２に対して別途ＥＭＩ対策を施す必要が無く、プロジェクタ１内部の構造を簡素化することができる。
（３−９）吸気ファン６３が電源ユニット６１の筒状体６１２に取り付けられているため、外装ケース２の底面部２２Ａに対して吸気ファン６３を傾斜配置する際に、底面部２２Ａに別途吸気ファン６３の支持部材を設ける必要がなく、プロジェクタ１の内部構造を一層簡素化して小型化を図ることができる。
（３−１０）吸気ファン６３の吸気面６３Ａが、吸気用の開口部３０が形成された底面部２２Ａの面に対して傾斜配置されることにより、垂直方向から吸い上げた空気を水平方向へと流動できるから、排気方向を適宜選択できるため、プロジェクタ１の内部構造に応じた冷却空気流の流路を選択する自由度が増す。
（３−１１）光学ユニット４および制御基板５を冷却する冷却系Ａと電源装置６を冷却する冷却系Ｂは、それぞれ独立した冷却流路ではあるが、共通の排出用開口部３５から排出されるため、筐体の成形が簡略化でき、且つ、空気の排出方向を管理しやすい。
（３−１２）冷却系Ａの排気手段である内部ルーバ８３、冷却系Ｂ１の排気手段である開口部６１２ｇおよび冷却系Ｂ２の排気手段である開口部６５ｂを、フロントケース２３に形成された開口部３５に対面するようにその領域内に配置することにより、冷却系Ａ、冷却系Ｂ１およびＢ２の冷却空気流の排出を、排気用開口部３５内の異なる領域から行なえる。従って、冷却系Ａ、冷却系Ｂ１およびＢ２の冷却空気流は排出時においてもお互いに干渉せず排出することができるから、プロジェクタ１の内部の冷却空気はスムーズに流れることができプロジェクタ１内部の冷却を効率良く行なえる。
（３−１３）吸気ファン６３の吸気面６３Ａが、排気用開口部３５に近づくにしたがって吸気用開口部３０に接近するように傾斜して配置することにより、吸気ファンの６３の吸気面６３Ａは排気用開口部３５に対抗する方向に面する位置となるから、排気用開口部３５から排出される既にプロジェクタ１内部の他の熱源部を冷却し温まった空気を吸気ファン６３が再び取り込むことを防止しすることができる。それにより、吸気ファン６３はプロジェクタ１外部の温度の低い空気をより多く取り込むことができる。
（４）実施形態の変形
本発明は、前述の実施形態に限定されるものではなく、以下に示すような変形をも含むものである。
前記実施形態では、電源ユニット６１およびランプ駆動ユニット６２の冷却系Ｂの吸気ファン６３を外装ケース２の底面部２２Ａに対して傾斜配置していたが、本発明はこれに限られない。すなわち、光学装置４４の直下に吸気ファンを配置した場合に、本発明を採用してもよい。
また、前記実施形態では、板状体６４によって冷却系Ｂを冷却系Ａから独立させていたが、本発明はこれに限られない。すなわち、開口部３０にダクト状の部材を接続して冷却系を独立させてもよい。
さらに、前記実施形態では、平面視略Ｌ字状の光学ユニット４に本発明を採用していたが、これに限らず、平面視略Ｕ字状の光学ユニット４に本発明を採用してもよい。この場合、Ｕ字の中央部分に電源ユニット等が配置される構成が採用されるため、これらの冷却効率を向上することのできる本発明は一層有効である。
そして、前記実施形態では、光源１１０の光を複数の部分光束に分割する２つのレンズアレイ１２０，１３０を用いていたが、この発明は、このようなレンズアレイを用いないプロジェクタにも適用可能である。
さらに、上記実施形態では、光源から射出された光束の変調は、液晶パネル４４１Ｒ、４４１Ｇ、４４１Ｂによって行われていたが、これに限らず、マイクロミラーを用いた光変調装置に本発明を採用してもよい。上記実施形態では、光変調装置を３つ用いたプロジェクタの例について説明したが、本発明は、光変調装置を１つ、２つ、あるいは４つ以上用いたプロジェクタにも適用することができる。
さらにまた、上記実施形態では、透過型のプロジェクタに本発明を適用した場合の例について説明したが本発明は、反射型プロジェクタにも適用することが可能である。ここで、「透過型」とは、液晶パネル等のライトバルブが光を透過するタイプであることを意味しており、「反射型」とは、ライトバルブが光を反射するタイプであることを意味している。反射型プロジェクタの場合、ライトバルブは液晶パネルのみによって構成することが可能であり、一対の偏光板は不要である。また、反射型プロジェクタでは、クロスダイクロイックプリズムは、照明光を赤、緑、青の３色の光に分離する色光分離手段として利用されると共に、変調された３色の光を再度合成して同一の方向に出射する色光合成手段としても利用される場合がある。また、クロスダイクロイックプリズムではなく、三角柱や四角柱状のダイクロイックプリズムを複数組み合わせたダイクロイックプリズムを用いる場合もある。反射型のプロジェクタにこの発明を適用した場合にも、透過型のプロジェクタとほぼ同様な効果を得ることができる。なお、ライトバルブは液晶パネルに限られず、例えばマイクロミラーを用いたライトバルブであっても良い。
プロジェクタとしては、投写面を観察する方向から画像投写を行う前面プロジェクタと、投写面を観察する方向とは反対側から画像投写を行う背面プロジェクタとがあるが、上記実施形態の構成は、いずれにも適用可能である。
その他、本発明の実施の際の具体的な構造および形状等は、本発明の目的を達成できる範囲で他の構造等としてもよい。
【図１】
2004036309.tif 000003
【図２】
2004036309.tif 000004
【図３】
2004036309.tif 000005
【図４】
2004036309.tif 000006
【図５】
2004036309.tif 000007
【図６】
2004036309.tif 000008
【図７】
2004036309.tif 000009
【図８】
2004036309.tif 000010
【図９】
2004036309.tif 000011
【図１０】
2004036309.tif 000012
【図１１】
2004036309.tif 000013
【図１２】
2004036309.tif 000014
【国際調査報告】
2004036309.tif 000015
2004036309.tif 000016
2004036309.tif 000017
2004036309.tif 000018